(57)【特許請求の範囲】
【請求項１】
固有の認証用ＩＤを出力する携帯機と、
錠装置に駆動信号を出力する錠制御装置とを有し、
かつ、該錠制御装置の複数を備えるとともに、各錠制御装置に通信回線を介して接続される管理サーバを有するリモコン錠システムであって、
前記錠制御装置の各々は、集合住宅等の各戸に設置される錠装置を制御し、認証用ＩＤを格納する登録機格納部、および登録機格納部の認証用ＩＤと携帯機の認証用ＩＤの一致を判定する認証部を備えて携帯機の認証用ＩＤを認証し、
前記携帯機は各錠制御装置に対応して設定される複数からなり、
前記管理サーバは、錠制御装置における認証拒絶時に、認証要求携帯機の認証用ＩＤと、当該携帯機による認証拒絶の累計回数とを格納し、
かつ、錠制御装置における駆動信号の出力が、認証要求携帯機に対する認証部による認証成立に加え、管理サーバに記憶された当該認証要求携帯機に対する認証拒絶累積回数が所定のしきい値以下である場合にのみ実行されるリモコン錠システム。
【請求項２】
前記管理サーバにおける累積回数の加算が、同一錠制御装置での複数回の認証拒絶があった場合、予め定められた所定回数の試行に対してのみ行われる請求項１記載のリモコン錠システム。
【請求項３】
前記錠制御装置は、当該錠制御装置による認証可能な携帯機に対する管理サーバ内の認証拒絶累積回数の初期値への書き替え権限を有する請求項１または２記載のリモコン錠システム。
【発明の詳細な説明】
【技術分野】
【０００１】
本発明は、リモコン錠システムに関するものである。
【背景技術】
【０００２】
紛失した施解錠操作用の携帯機による解錠操作を防止することのできるリモコン錠システムとしては、特許文献１に記載のものが知られている。この従来例において、ＩＣカード（携帯機）には暗証コード入力部が設けられ、解錠操作は、利用者が携帯機に暗証コードを入力することにより行われる。認証装置（錠制御装置）は暗証コードと携帯機固有の認証用ＩＤが予め登録されたものか否かを判定して解錠動作を指令するために、携帯機を紛失、あるいは盗まれても、暗証番号を知られない限り当該携帯機を使用した解錠が防止される。
【特許文献１】特開平１１-１４１２０４号公報
【発明の開示】
【発明が解決しようとする課題】
【０００３】
しかし、上述した従来例において、解錠操作に際して暗証コードの入力を要するために、使い勝手が悪いという欠点がある。
【０００４】
本発明は、以上の欠点を解消すべくなされたものであって、使い勝手を悪化させることなく、盗難等にあった携帯機による解錠操作を防止することのできるリモコン錠システムの提供を目的とする。
【課題を解決するための手段】
【０００５】
本発明によれば上記目的は、
固有の認証用ＩＤを出力する携帯機１と、
錠装置２に駆動信号を出力する錠制御装置３とを有し、
かつ、該錠制御装置３の複数を備えるとともに、各錠制御装置３に通信回線４を介して接続される管理サーバ５を有するリモコン錠システムであって、
前記錠制御装置３の各々は、集合住宅等の各戸に設置される錠装置２を制御し、認証用ＩＤを格納する登録機格納部１３、および登録機格納部１３の認証用ＩＤと携帯機１の認証用ＩＤの一致を判定する認証部１１を備えて携帯機１の認証用ＩＤを認証し、
前記携帯機１は各錠制御装置３に対応して設定される複数からなり、
前記管理サーバ５は、錠制御装置３における認証拒絶時に、認証要求携帯機１の認証用ＩＤと、当該携帯機１による認証拒絶の累計回数とを格納し、
かつ、錠制御装置３における駆動信号の出力が、認証要求携帯機１に対する認証部１１による認証成立に加え、管理サーバ５に記憶された当該認証要求携帯機１に対する認証拒絶累積回数が所定のしきい値以下である場合にのみ実行されるリモコン錠システムを提供することにより達成される。
【０００６】
リモコン錠システムは携帯機１から出力される携帯機１固有の認証用ＩＤの錠制御装置３における認証を条件に錠装置２を施解錠操作するように構成される。各錠制御装置３は通信回線４を介して管理サーバ５に接続されており、携帯機１から発信された認証用ＩＤが錠制御装置３において認証されなかった場合には、錠制御装置３は当該携帯機１の認証用ＩＤを管理サーバ５に出力する。
【０００７】
管理サーバ５には携帯機１の認証用ＩＤと認証拒絶累計回数とを関連付けて記憶する累積回数記憶部６が設けられており、錠制御装置３からの認証が拒絶された認証用ＩＤを受領した管理サーバ５は、当該認証用ＩＤを累積回数記憶部６内で検索し、存在しない場合には、当該認証用ＩＤと、累計回数初期値”１”を新規登録する。これに対し、既に認証用ＩＤが登録されている場合には、認証拒絶の累積回数を”１”だけ増加させた新値に書き替える。
【０００８】
したがって、例えば集合住宅等において使用されるリモコン錠システムに使用される携帯機１を拾い、あるいは盗んだ者が、当該携帯機１を使用して解錠可能な部屋を検索しようとして各戸で解錠操作を試行して認証が拒絶された場合、試行した錠制御装置３が異なっていても、試行回数が管理サーバ５中に累積されて記憶される。
【０００９】
一方、錠制御装置３における携帯機１に対する認証成立、すなわち、錠装置２への駆動信号の出力は上記認証拒絶累積回数が所定のしきい値以下であることを条件に行われ、所定回数以上の解錠試行が行われた携帯機１を使用した解錠操作は拒絶される。
【００１０】
したがってこの発明において、拾われ、あるいは盗まれた携帯機１による解錠操作を防止することができるために、防犯性能が向上する。また、施解錠操作に際しての利用者による暗証番号の入力等、追加的な操作が不要なために、利便性も低下することがない。
【００１１】
管理サーバ５における累積回数の加算は、錠制御装置３の種類を問わず、１回の認証試行に対して”１”だけ増加させることができるが、同一錠制御装置３での複数回の認証拒絶があった場合、予め定められた所定回数の試行に対してのみ行うことができる。すなわち、例えば、回数を”１”と設定した場合、同一の錠制御装置３に対して２回目以降の認証試行に対しては累積回数は増加されることはない。
【００１２】
この結果、他の錠制御装置３の正規利用者が過って権限を有しない錠制御装置３に対して多数回の認証試行を行っても、多数回試行を理由に正規の錠制御装置３に対するアクセスが不能になることがないために、使い勝手が向上する。
【発明の効果】
【００１３】
本発明によれば、使い勝手を悪化させることなく、盗難等にあった携帯機による解錠操作を防止することができる。
【発明を実施するための最良の形態】
【００１４】
図１に本発明の実施の形態を示す。この実施の形態におけるリモコン錠システムは、集合住宅の各戸に設置される電気錠（錠装置２）を制御するための複数の錠制御装置３と、通信回線４を介して各錠制御装置３に接続される管理サーバ５と、各錠制御装置３に対応して設定される施解錠操作用の携帯機１と、携帯機１を認証可能なものとして錠制御装置３に新規登録するための登録カード（図示せず）とを使用して運用される。
【００１５】
後に詳述するように、携帯機１および登録カードは錠制御装置３からのＩＤ要求信号に対し、携帯機１、あるいは登録カード固有の認証用ＩＤと機種種別コードを含む応答信号を出力する。
【００１６】
錠制御装置３は、携帯機１、あるいは登録カードとの交信を行うために、制御部３ａの制御下で動作する送受信部３ｂを備える。送受信部３ｂは、リクエストスイッチ７の押下により上記携帯機１等に対してＩＤ要求信号を出力し、さらに、これに対する携帯機１等からの応答信号を受信する。
【００１７】
この錠制御装置３は、通常の施解錠操作を行う運用モードと、携帯機１の登録等を行うための登録モードの２種類の動作モードを有しており、制御部３ａに接続されるモードチェンジ部８は、認証が完了した携帯機１等からの応答信号に含まれる機種種別コードが登録カードに振り当てられたものである場合には、登録モードへの切替信号をバスライン３ｃに出力する。これに対し、応答信号に含まれる機種種別コードが携帯機１を示す場合には、運用モードへの切替信号をバスライン３ｃに出力し、以後、錠制御装置３は、運用モードにより動作する。
【００１８】
運用モードにおける施解錠操作を制御するために、錠制御部９、錠監視部１０が制御部３ａに接続され、錠制御部９により生成される錠ドライブ信号により錠装置２を施錠側、あるいは解錠側に駆動して扉の施解錠がなされる。錠監視部１０は、制御部３ａからの問い合わせに対し、錠装置２の施解錠状態を示す応答信号を生成し、バスライン３ｃに出力する。
【００１９】
上記錠制御装置３に対する錠ドライブ信号の出力有無を決定するために、認証部１１と停止ＩＤ格納部１２とが制御部３ａ配下に接続される。認証部１１は、上記携帯機１からの応答信号に含まれる認証用ＩＤが登録モードのときに登録機格納部１３に登録された認証用ＩＤと一致するか否かを判定し、停止ＩＤ格納部１２はリクエストスイッチ７が押下された際に管理サーバ５から読み込まれる。制御部３ａは、認証部１１での認証が成立し、かつ、認証された携帯機１の認証用ＩＤが停止ＩＤ格納部１２内に存在しないことを条件に上記錠制御部９に錠ドライブ信号をセットして錠装置２を駆動する。錠装置２の状態変化は、インタフェイス部３ｄ、５ｄを経由して管理サーバ５に送信される。
【００２０】
また、認証部１１での認証が拒絶された携帯器１の認証用ＩＤを蓄積するために、認証要求履歴格納部１４が接続される。制御部３ａは、認証部１１での認証が拒絶された場合、当該携帯機１の認証用ＩＤを認証要求履歴格納部１４中に検索し、存在しない場合には、新たに認証用ＩＤを格納した後、認証拒絶信号とともに、拒絶された携帯機１の認証用ＩＤを管理サーバ５に送信する。
【００２１】
登録機格納部１３への登録は登録モードにおいて行われ、具体的には、登録モード継続中に錠制御装置３からのＩＤ要求信号に対して応答した携帯機１の認証用ＩＤを認証可能携帯機１として登録する。新たに登録された認証用ＩＤは、インタフェイス部３ｄ、５ｄを経由して管理サーバ５に送信される。
【００２２】
なお、上記制御部３ａ、認証部１１、錠制御部９、送受信部３ｂ等、および後述する携帯機１、管理サーバ５中の各構成要素は、所定のプログラムにより動作するＣＰＵにより制御されるマイコンセット中のメモリ空間内に構成することが可能である。
【００２３】
一方、携帯機１、および登録カードは制御部１ａに接続されるバスライン１ｃにＩＤ格納部１５と送受信部１ｂとを接続して形成される。ＩＤ格納部１５には、携帯機１固有の認証用ＩＤが格納され、送受信部１ｂが上記錠制御装置３から出力されるＩＤ要求信号を受信すると、制御部１ａは上記ＩＤ要求信号が自機対応のものか否かを判定した後、対応機種と判定した場合には、ＩＤ格納部１５中の認証用ＩＤを含む応答信号をセットし、送受信部１ｂ、アンテナを経由して錠制御装置３に出力する。
【００２４】
なお、登録カードは上記携帯器１とほぼ同一の構成を有しているために、説明を省略する。
【００２５】
管理サーバ５は、制御部５ａに接続される累積回数管理部１６と、号機管理部１７とを有し、インタフェイス部５ｄを介して各錠制御装置３と交信できる。累積回数管理部１６には停止ＩＤ蓄積部１８と累積回数記憶部６とが接続され、累積回数記憶部６には認証拒絶された携帯機１の認証用ＩＤと、当該携帯機１の認証拒絶累積回数とが格納される。
【００２６】
累積回数管理部１６は、錠制御装置３からの認証拒絶信号を受信した場合に累積回数記憶部６に格納されている認証拒絶累積回数を”１”増加させ、累積回数を増加させた結果、累積回数が予め設定された回数を超えることとなった場合には、累積回数記憶部６から消去し、認証用ＩＤを停止ＩＤ蓄積部１８に格納する。
【００２７】
上記錠制御装置３の動作フローを図２、３に示す。施解錠操作に際して、まず、錠制御装置３のリクエストスイッチ７を押下する（ステップＳ１）と、錠制御装置３の制御部３ａは管理サーバ５の停止ＩＤ蓄積部１８中の停止ＩＤを問い合わせ、停止ＩＤ格納部１２に格納し（ステップＳ２）、さらにＩＤ要求信号を送受信部３ｂにセットし、アンテナから出力して応答信号の受信を待つ（ステップＳ３）。ステップＳ３で応答信号が所定時間内に検出されなかった場合（ステップＳ３-１）、制御を終了する。
【００２８】
なお、図２において管理サーバ５と錠制御装置３との交信は、リクエストスイッチ７の押下をトリガとして生成される錠制御装置３側からの問い合わせ信号に管理サーバ５が応答して行われるが、管理サーバ５側での状態変化、とりわけ停止ＩＤ蓄積部１８内の状態変化をトリガとして管理サーバ５側から錠制御装置３に停止ＩＤ書き替え要求を出力して行うこともできる。
【００２９】
一方、ステップＳ３で応答信号を確認した場合、応答信号内の機種種別コードから応答信号が登録カードからのものであるか（ステップＳ４）、携帯機１からのものであるかを識別する（ステップＳ５）。ステップＳ４、５で応答信号が携帯機１からのものと判定された場合、応答信号中の認証用ＩＤの認証を行い（ステップＳ６）、携帯機１からのものでも、登録カードからのものでもない場合には制御を終了する。
【００３０】
ステップＳ６において認証部１１での認証が成立すると、当該認証用ＩＤが停止格納ＩＤ格納部１５内にあるか否かを検索する（ステップＳ７）。ステップＳ７で認証用ＩＤを検索できなかった場合には、制御部３ａは錠監視部１０に錠装置２の状態を問い合わせ（ステップＳ８）、施錠状態の場合には解錠操作を、解錠状態の場合には施錠操作を行った後（ステップＳ９）、施解錠状態を管理サーバ５に通知し（ステップＳ１０）、制御を終了する。これに対し、ステップＳ７で認証用ＩＤが検索された場合には、エラー音を発呼し（ステップＳ６-４）、制御を終了する。
【００３１】
また、ステップＳ６で認証が拒絶されると、当該認証用ＩＤが認証要求履歴格納部１４内にあるか否かを検索する（ステップＳ６-１）。このステップＳ６-１で認証用ＩＤが検索できなかった場合には当該認証用ＩＤを認証要求履歴格納部１４に新規登録し（ステップＳ６-２）、さらに管理サーバ５に認証拒絶信号とともに、拒絶された携帯機１の認証用ＩＤを出力した後（ステップＳ６-３）、エラー音を発呼し（ステップＳ６-４）、制御を終了する。
【００３２】
一方、ステップＳ４で機種種別コードが登録カードのものであるとされた場合には、登録カードの認証用ＩＤに対する認証が行われ（ステップＲ１）、認証が拒絶された場合には制御が終了する。
【００３３】
ステップＲ１において認証部１１での認証が成立すると、登録モードに移行したことを利用者に知らせ、さらに、登録対象の携帯機１を錠制御装置３との交信可能な範囲に用意することを促す（ステップＲ２）。制御部３ａはこの後、所定時間携帯機１からの応答信号を待ち受け（ステップＲ３）、応答信号がない場合（ステップＲ３-１）は制御を終了する。
【００３４】
ステップＲ３で応答信号を受信すると、応答信号中の認証用ＩＤが登録済みか否かを登録機格納部１３を検索して判定し（ステップＲ４）、未登録携帯機１の場合には、当該携帯機１の認証用ＩＤを登録機格納部１３に格納して認証可能携帯機１として登録する（ステップＲ４-１）。ステップＲ４-１で自機に登録された認証用ＩＤは、ステップＲ４-２で管理サーバ５に送信された後、操作終了を利用者に音で知らせ（ステップＲ８）、制御を終了する。
【００３５】
これに対し、ステップＲ４で携帯機１が登録済みと判定された場合には、当該携帯機１の認証用ＩＤが停止ＩＤ格納部１２に存在するか否かを検索する（ステップＲ５）。検索結果が”真”である場合には、当該認証用ＩＤを停止ＩＤ格納部１２から削除し（ステップＲ６）、さらにこれを管理サーバ５に通知した後（ステップＲ７）、操作終了音を発呼して（ステップＲ８）制御を終了する。
【００３６】
図４に管理サーバ５の動作フローを示す。まず、管理サーバ５の制御部５ａは、上述したステップＳ６-３で錠制御装置３から出力された認証拒絶信号を受領すると（ステップＭ１）、認証拒絶信号とともに受領した認証用ＩＤが累積回数記憶部６に存在するか否かを検索する（ステップＭ１１）。
【００３７】
ステップＭ１１で検索結果が”偽”である場合には、累積回数記憶部６に当該認証用ＩＤと、累積回数”１”を格納する（ステップＭ１２）。これに対し、ステップＭ１１で認証用ＩＤが検索された場合には、累積回数記憶部６内の該当する認証用ＩＤに対応する累積回数を”１”増加させた値に書き替えた後（ステップＭ１３）、ステップＭ１４を実行する。ステップＭ１４では、増加した累積回数が所定のしきい値に達したか否かが判定され、未だしきい値に達しない場合には、制御を終了する。
【００３８】
これに対し、ステップＭ１４で累積回数がしきい値に達した場合には、当該認証用ＩＤを停止ＩＤ蓄積部１８に新規登録し、同時に累積回数記憶部６から抹消し（ステップＭ１５）、制御を終了する。
【００３９】
次に、管理サーバ５の制御部５ａは、上述したステップＲ４-２で送信された新規認証ＩＤを受領した場合には（ステップＭ２）、号機管理部１７に管理対象携帯機１として登録し（ステップＭ２１）、制御を終了する。
【００４０】
また、ステップＳ１０で錠制御装置３からの施解錠通知を受領した場合には（ステップＭ３）、号機管理部１７内の対応錠制御装置３の施解錠状態を通知内容に書き替える（ステップＭ３１）。
【００４１】
さらに、ステップＲ７で停止解除通知を受領した場合には（ステップＭ４）、累積回数管理部１６の停止ＩＤ蓄積部１８から該当認証用ＩＤを削除する（ステップＭ４１）。
【図面の簡単な説明】
【００４２】
【図１】本発明を示す機能ブロック図である。
【図２】錠制御制御装置の動作を示すフローチャートである。
【図３】登録モードにおけるフローチャートである。
【図４】管理サーバの動作を示すフローチャートである。
【符号の説明】
【００４３】
１        携帯機
２        錠装置
３        錠制御装置
４        通信回線
５        管理サーバ
【図１】
0004641928.tif 000002
【図２】
0004641928.tif 000003
【図３】
0004641928.tif 000004
【図４】
0004641928.tif 000005